(57)【要約】【課題】祭壇に安置される灯明具に仏教的色彩を強く印象ずけるように灯籠型に構成すると共に、灯明具から発生する気泡の去来が幻想的な雰囲気を醸し出して人の世の儚さを誘い、これを観る人々に在りし日の故人の面影を偲んで、冥福と成仏を祈る心情を自然に誘発させ、人生終焉の厳かなセレモニーを演出することができる葬祭用灯明具を提供する。【解決手段】気泡管５の下部に光源としての電球７を内装してなる装飾灯２と、装飾灯２の外周全域を被覆自在に囲繞する外郭体３とによって葬祭用灯明具が構成され、外郭体３は木材を素材として宝珠３ａ、笠３ｂ、火袋３ｃ、火口３ｄおよび台座３ｅを有する灯籠形状に構成した。【選択図】    図１
2005312636.tif 000002
【特許請求の範囲】
【請求項１】
祭壇に安置される葬祭用灯明具であって、該灯明具は気泡を発生する装飾灯と、装飾灯の外周全域を被覆自在に囲繞する外郭体とからなり、上記装飾灯は光源としての電球を内装した基台と、基台に着脱自在に装着される筒状部と、筒状部内に植立された気泡管とによって構成され、外郭体は装飾灯を囲繞した際、発生する気泡の去来が仏教的雰囲気を醸し出すように、木材を素材とした宝珠、笠、火袋および台座とによって灯籠型に構成されていることを特徴とする葬祭用灯明具。
【発明の詳細な説明】
【技術分野】
【０００１】
本発明は、葬祭用灯明具に係り、詳しくは、祭壇に安置される灯明具に仏教的色彩を強く印象ずけるように灯籠型に構成すると共に、灯明具から発生する気泡の去来が幻想的な雰囲気を醸し出して人の世の儚さを誘い、これを観る人々に在りし日の故人の面影を偲んで、冥福と成仏を祈る心情を自然に誘発させ、人生終焉の厳かなセレモニーを演出することができる葬祭用灯明具に関するものである。
【背景技術】
【０００２】
従来、葬祭用灯明具には種々のものが提案されているが、とりわけ、祭壇に安置して使用されるものは、光源としての電球を内装した基台に、笠部と透明または半透明の筒部を着脱自在に設け、かつ該筒部内に気泡管を植立すると共に、笠部の外周縁所定位置に鳳凰飾り体を装着し、該飾り体の下方に瑶珞飾り体を吊下してなるものが一般に用いられていた。
【０００３】
ところが、上記のように構成された葬祭用灯明具は、死者の霊に供えて故人の冥福と成仏を祈るというよりは、むしろ、華麗な外観形状によって祭壇を美しく装飾するための添景物としての利用に重点が置かれていた。
【特許文献１】特開平３−４０３０４号公報
【特許文献２】特開平２００１−２２４４８７号公報これらの発明は、光彩効果ないしは特異な照明効果を発揮するようにして、祭壇の装飾効果を演出したものであって、仏教的色彩を強く印象ずけるものではなかった。
【発明の開示】
【発明が解決しようとする課題】
【０００４】
本発明は、上記のような実情に鑑み、従来の欠点を解消すべく創案されたものであって、その意図するところは、中国から仏教ととも伝来した灯籠が、寺で死者の霊に灯火を供えて冥福を祈るために用いられたという歴史的由来に着目し、灯火を気泡の去来する装飾灯に代えると共に、灯籠型に構成した外郭体で装飾灯を囲繞することにより、祭壇に荘重感を与え、これを観る人々に仏教的色彩を強く印象ずけて、個人の冥福と成仏を祈る心情を自然に誘発させることができ、併せて装飾効果をも発揮させることができる葬祭用灯明具を提供することを課題とするものである。
【課題を解決するための手段】
【０００５】
上記課題を解決するため、本発明が採用した技術手段は、祭壇に安置される葬祭用灯明具であって、該灯明具は気泡を発生する装飾灯と、装飾灯の外周全域を被覆自在に囲繞する外郭体とからなり、上記装飾灯は光源としての電球を内装した基台と、基台に着脱自在に装着される筒状部と、筒状部内に植立された気泡管とによって構成され、外郭体は装飾灯を囲繞した際、発生する気泡の去来が仏教的雰囲気を醸し出すように、木材を素材とした宝珠、笠、火袋および台座とによって灯籠型に構成されていることを特徴とするものである。
【発明の効果】
【０００６】
したがって、本発明によれば装飾灯が木材を素材として構成された灯籠型の外郭体で囲繞されているので、従来の灯明具のように、祭壇を美しく飾るための添景物としてではなく、灯明具自体に素材から派生する落ち着いた風合いのある質感を与えると共に、仏教的色彩を強く印象ずけて祭壇に荘重感を与えることができ、更に電源を入れると火袋に発生した気泡の去来が幻想的な仏教的雰囲気を醸し出して、故人の冥福と成仏を祈る心情を自然に誘発することができる。
【０００７】
そのうえ、装飾灯と灯籠を構成する外郭体はそれぞれ別体になっているので、外郭体によってバリエーションに富んだ各種の灯籠を構成することができ、葬儀の際、喪主の好みに対応して、供養にふさわしい灯明具を提供することができる。
【発明を実施するための最良の形態】
【０００８】
本発明の実施の形態を添付図面に基いて詳細に説明する。図１（Ａ）は葬祭用灯明具の全体正面図、同図（Ｂ）は葬祭用灯明具の右側面図、図２は同上分解正面図であって、同図（Ａ）は灯籠を構成する外郭体の正面図、（Ｂ）は装飾灯、（Ｃ）は装飾灯の基台および灯籠の台座正面図、図３は参考例としての泉湧寺雪見型灯籠の斜視図、図４は同上庚申型灯籠の斜視図である。
【０００９】
上記図１および図２において、１は葬儀の際、祭壇に安置される葬祭用灯明具であって、該灯明具１は気泡を発生する装飾灯２と、該装飾灯２の外周全域を被覆自在に囲繞する灯籠型外郭体３とによって構成されている。
【実施例】
【００１０】
先ず、装飾灯２は水平断面が円形の筒状部４と、その内部に植立された複数本の気泡管５と、筒状部４を着脱自在に支持する基台６と、基台６の中央部位に装着された光源としての電球７と、電球７のソケットに接続されたコード（何れも図示省略）とによって構成されている。
【００１１】
筒状部４は合成樹脂を素材として、表面側の半周面は内部が外方から透視可能となるように透明板で形成され、かつ該部の上下端部の周方向（横方向）と左右端部の上下方向（縦方向）には、それぞれ帯状の飾り体４ａ、４ｂが装着されている。
【００１２】
気泡管４は、口径が６〜８ｍｍ程度のガラス製の円筒状細管が３本使用され、かつ各細管の底部に気泡の核となる発泡体を付着すると共に、低沸点液体を封入し、基台６に装着した電球の熱を利用して気泡を発生させるようにしてある。なお、筒状部４の背面側の半周面には反射板８が装着されており、また気泡管５の両側には装飾用造花９が配設されている。
【００１３】
次に灯籠を構成する外郭体３は、木材を素材として宝珠３ａ、笠３ｂ、火袋３ｃ、火口３ｄおよび台座３ｅとによって構成されている。そして、火袋３ｃの径は装飾灯２の構成部材である筒状部４の径より大径に形成されて、その外周全域が被覆状に囲繞できるようになっていると共に、囲繞した状態では筒状部４の帯状飾り体４ａが火口３ｄの上下端縁から露出し、また他の帯状飾り体４ｂが火口３ｄの左右側縁から露出するようになっていて、飾り体４ａ、４ｂが筒状部４の額縁を形成している。
【００１４】
１０は火袋３ｃの背面側の半周面に、それぞれ周方向に所定間隔を存して貫設された通気孔、１１は外郭体３で筒状部４を囲繞して葬祭用灯明具１を組み立てた際、外郭体３を台座３ｅに固定するための固定具である。
【００１５】
上記実施例では、外郭体３によって構成された灯籠の笠３ｂと火袋３ｃの形状が、図３に参考例として示す既存の泉湧寺雪見型灯籠の笠Ａと図４に示す既存の庚申型灯籠の火袋Ｂとを組み合わせて形成したものを示したが、灯籠の形状はこれに限定されるものではなく、バリエーションに富んだ各種の形状に構成できることは勿論である。
【００１６】
本発明は叙上のように構成したので、これを祭壇に安置して電源を入れると、電球７が発光して気泡管５の底部が照射され、まもなく気泡が発生する。
【００１７】
その際、装飾灯２を囲繞した外郭体３は木材を素材として灯籠型に構成されているので、観る人々に素材から派生する落ち着いた風合いのある質感を与えると共に、灯明具１に仏教的色彩を強く印象ずけて祭壇に荘重感を与え、上昇する気泡がライトアップされながら去来して、幻想的な雰囲気を醸し出して人の世の儚さを誘うので、自然に故人の冥福と成仏を祈る心情を誘発することができる。
【００１８】
そのうえ、外郭体３によって構成される灯籠の形状には制限がないので、仏教的色彩を帯びたものである限り、所望の形状に構成することができ、したがって、予め各種形状の灯籠を用意することによって、喪主や遺族に選択の自由度が得られ、好みに対応した灯明具１を祭壇に安置して供養の念を満足させることができる。
【産業上の利用可能性】
【００１９】
本発明は寺の仏閣や檀家の集会室の置物として利用することができる。
【図面の簡単な説明】
【００２０】
【図１】（Ａ）は葬祭用灯明具の全体正面図、（Ｂ）は同右側面図
【図２】葬祭用灯明具の分解正面図であって、（Ａ）は灯籠を形成する外郭体の正面図、（Ｂ）は装飾灯の正面図、（Ｃ）は装飾灯の基台および外郭体の台座の正面図
【図３】参考例としての泉湧寺雪見型灯籠の斜視図
【図４】参考例としての庚申型灯籠の斜視図
【符号の説明】
【００２１】
１      葬祭用灯明具
２      装飾灯
３      外郭体
３ａ    宝珠
３ｂ    笠
３ｃ    火袋
３ｄ    火口
３ｅ    台座
４      筒状部
４ａ    飾り体
４ｂ    飾り体
５      気泡管
６      基台
７      電球
８      反射板
９      装飾用造花
１０    通気孔
１１    固定具
【図１】
2005312636.tif 000003
【図２】
2005312636.tif 000004
【図３】
2005312636.tif 000005
【図４】
2005312636.tif 000006